(57)【要約】  空気調和機の室内機１００は、熱交換器５の上流側に送風装置４が設けられたものである。この室内機１００の送風装置４は、ケーシング１の吸込口２に設けられたベルマウス１２、ベルマウス１２の内周側に設けられた軸流型又は斜流型のファン１３、ファン１３を回転駆動させるモーター８、モーター８を保持するモーター台１０、及び、モーター台１０とベルマウス１２とを連結するモーターステイ１１を有する。そして、送風装置４のモーターステイ１１は、平面視において、ファン１３の各羽根１５の下流側端部が、ファン１３の回転角度にかかわらず、モーターステイ１１を構成する棒状部材のいずれかと交差するように形成されている。
2014006649.tif 000002
【特許請求の範囲】
【請求項１】
上部に吸込口が形成され、前面部下側に吹出口が形成されたケーシングと、
前記吸込口に設けられたベルマウス、該ベルマウスの内周側に設けられた軸流型又は斜流型のファン、該ファンを回転駆動させるモーター、該モーターを保持するモーター台、及び、該モーター台と前記ベルマウスとを連結するモーターステイを有する送風装置と、
前記ケーシング内における前記送風装置の下流側であって前記吹出口の上流側となる位置に設けられ、前記送風装置から吹き出された空気と冷媒とが熱交換する熱交換器と、
を備え、
前記送風装置のモーターステイは、
平面視において、前記ファンの各羽根の下流側端部が、前記ファンの回転角度にかかわらず、前記モーターステイを構成する棒状部材のいずれかと交差するように形成されたことを特徴とする空気調和機の室内機。
【請求項２】
前記モーターステイは、
平面視において前記モーター台から放射状に延設され、前記モーター台と前記ベルマウスとを連結する複数の第１の棒状部材と、
隣接する第１の棒状部材を連結する第２の棒状部材と、
を備えたことを特徴とする請求項１に記載の空気調和機の室内機。
【請求項３】
同一の前記第１の棒状部材に連結する前記第２の棒状部材は、同一位置に連結されており、
複数の前記第２の棒状部材が多角形状に配置されていることを特徴とする請求項２に記載の空気調和機の室内機。
【請求項４】
前記モーターステイは、格子状に配置された複数の棒状部材を備えていることを特徴とする請求項１に記載の空気調和機の室内機。
【請求項５】
前記ベルマウスは、空気の流れ方向の下流側となる出口側端部から下方に突設された複数の取付部を備え、
前記モーターステイは、これら前記取付部において前記ベルマウスと連結しており、
これら前記取付部のそれぞれは、
側面端部の内の少なくとも前記ファンの前記羽根の圧力面と対向する側となる第１の側面端部が、前記ファンの回転軸に対して傾斜して形成されていることを特徴とする請求項１〜請求項４のいずれか一項に記載の空気調和機の室内機。
【請求項６】
前記第１の側面端部は、直線状、円弧状又は波形状に形成されていることを特徴とする請求項５に記載の空気調和機の室内機。
【請求項７】
前記取付部のうちの少なくとも１つは、
前記第１の側面端部と反対側の側面端部である第２の側面端部が、前記ファンの回転軸と平行に形成されていることを特徴とする請求項５又は請求項６に記載の空気調和機の室内機。
【請求項８】
請求項１〜請求項７のいずれか一項に記載の空気調和機の室内機を備えたことを特徴とする空気調和機。
【発明の詳細な説明】
【技術分野】
【０００１】
本発明は、送風装置及び熱交換器をケーシング内に収納した空気調和機の室内機、及びこの室内機を備えた空気調和機に関するものである。
【背景技術】
【０００２】
従来から、送風装置と熱交換器とをケーシング内に収納した空気調和機が存在する。そのようなものとして、「上部に吸込口が形成され、前面部下側に吹出口が形成されたケーシングと、ケーシング内の吸込口の下流側に設けられた軸流型又は斜流型の送風装置と、ケーシング内の送風装置の下流側であって、吹出口の上流側に設けられ、送風装置から吹き出された空気と冷媒とが熱交換する熱交換器」を備えた空気調和機が提案されている（例えば、特許文献１）。【０００３】
また、軸流型又は斜流型の従来の送風装置として、「周枠と、該周枠の一端縁内のほぼ中央部に設けられていて電動ファンの台座とされる基板と、該基板と該周枠の前記一端縁近くとの間に延在している複数のラチスバーと」からなるファン装置（例えば、特許文献２）や、「放射状に並ぶ複数本のステイを有するモーターフレームと、該モーターフレームに保持されたファンモータと、該ファンモータの回転軸に連結され、Ｎ１（Ｎ１は２以上の整数）枚の羽根板を有するファンとを備え、該ファンの回転時には、該羽根板のうちステイ側の一面が略３６０°／Ｎ１×Ｎ２（Ｎ２は１以上の整数）の角度を持って所定のステイの一面を通過することを特長とするファン装置」が提案されている（例えば、特許文献３）。
【先行技術文献】
【特許文献】
【０００４】
【特許文献１】ＷＯ１０／０８９９２０号公報（段落［０００６］、図１）
【特許文献２】実用新案登録第３０９９４０４号公報（段落［０００３］、図２）
【特許文献３】特開２００２−５０９８号公報（請求項１、図１）
【発明の概要】
【発明が解決しようとする課題】
【０００５】
送風装置が熱交換器の上流側の近傍に配置される従来の空気調和機の室内機（例えば特許文献１）に、軸流型又は斜流型の従来の送風装置（例えば特許文献２，３）を搭載した場合、送風装置のファンの各羽根の後流が熱交換器とファンとの最近接点を周期的に通過する。このとき、ファンの各羽根の後流と熱交換器との干渉によってファンの各羽根に急激な圧力変動が生じ、耳障りな離散周波数騒音が発生するという問題点があった。【０００６】
本発明は、上述のような課題を解決するためになされたものであり、ファンの各羽根の後流と熱交換器との干渉によって発生する耳障りな離散周波数騒音を抑制することが可能な空気調和機の室内機、及びこの室内機を備えた空気調和機を得ることを目的とする。
【課題を解決するための手段】
【０００７】
本発明に係る空気調和機の室内機は、上部に吸込口が形成され、前面部下側に吹出口が形成されたケーシングと、前記吸込口に設けられたベルマウス、該ベルマウスの内周側に設けられた軸流型又は斜流型のファン、該ファンを回転駆動させるモーター、該モーターを保持するモーター台、及び、該モーター台と前記ベルマウスとを連結するモーターステイを有する送風装置と、前記ケーシング内における前記送風装置の下流側であって前記吹出口の上流側となる位置に設けられ、前記送風装置から吹き出された空気と冷媒とが熱交換する熱交換器と、を備え、前記送風装置のモーターステイは、平面視において、前記ファンの各羽根の下流側端部が、前記ファンの回転角度にかかわらず、前記モーターステイを構成する棒状部材のいずれかと交差するように形成されたものである。【０００８】
また、本発明に係る空気調和機は、本発明に係る空気調和機の室内機を備えたものである。
【発明の効果】
【０００９】
本発明によれば、モーター台とベルマウスを連結するモーターステイ（特許文献２のラチスバー及び特許文献３のステイに相当する部材）を、平面視において、ファンの各羽根の下流側端部がファンの回転角度にかかわらずモーターステイを構成する棒状部材のいずれかと交差するように形成している。このため、本発明は、各ファンの後流が常にモーターステイと干渉しているので、ファン１回転中における各羽根の後流の圧力分布がモーターステイによりなまされるため、ファンの各羽根の後流と熱交換器との干渉によって各羽根に生じる急激な圧力変動が緩和され、耳障りな離散周波数騒音の発生を抑制できる。
【図面の簡単な説明】
【００１０】
【図１】本発明の実施の形態１に係る空気調和機の室内機を示す斜視図である。
【図２】本発明の実施の形態１に係る空気調和機の室内機の吸込口近傍を示す斜視図である。
【図３】本発明の実施の形態１に係る空気調和機の室内機縦断面図である。
【図４】本発明の実施の形態１，３に係る空気調和機の室内機における送風装置を示す分解斜視図である。
【図５】本発明の実施の形態１に係る空気調和機の室内機における送風装置を示す底面図である。
【図６】本発明の実施の形態１に係る空気調和機の室内機における騒音の周波数特性を説明するための説明図である。
【図７】本発明の実施の形態１に係る空気調和機の室内機１００における、モーターステイの棒状部材間の間隔と卓越音圧レベルとの関係を示す図である。
【図８】本発明の実施の形態２に係る空気調和機の室内機における送風装置の一例を示す底面図である。
【図９】本発明の実施の形態２に係る空気調和機の室内機における送風装置の別の一例を示す底面図である。
【図１０】本発明の実施の形態３に係る空気調和機の室内機における騒音の周波数特性を説明するための説明図である。
【図１１】本発明の実施の形態４に係る空気調和機の室内機における送風装置の取付部近傍を示す要部拡大図である。
【発明を実施するための形態】
【００１１】
実施の形態１．
以下、本発明に係る空気調和機の室内機の具体的な実施の形態について説明する。なお、以下の各実施の形態では、壁掛け型の室内機を例に本発明を説明する。また、各実施の形態で示す図では、各ユニット（又は各ユニットの構成部材）の形状や大きさ等が一部異なる場合もある。
【００１２】
実施の形態１．
図１は、本発明の実施の形態１に係る空気調和機の室内機を示す斜視図である。図２は、この空気調和機の室内機の吸込口近傍を示す斜視図である。また、図３は、この空気調和機の室内機の縦断面図である。なお、図１は、ケーシングを透過させ、内部構造が認識できるように図示している。また、図２は、室内機の側端部を断面として示している。
以下、図１〜図３を参照して、本実施の形態１に係る室内機１００の全体構造について簡単に説明する。
【００１３】
室内機１００は、冷媒を循環させる冷凍サイクルを利用することで、室内等の空調対象域に空調空気を供給するものである。この室内機１００は、主に、室内空気を内部に吸い込むための吸込口２及び空調空気を空調対象域に供給するための吹出口３が形成されているケーシング１と、このケーシング１内に収納され、吸込口２から室内空気を吸い込み、吹出口３から空調空気を吹き出す軸流型又は斜流型の送風装置４と、送風装置４から吹出口３までの風路に配設され、冷媒と室内空気とが熱交換することで空調空気を作り出す熱交換器５と、を有している。
【００１４】
吸込口２は、ケーシング１の上部に開口形成されており、送風装置４が設けられている。この送風装置４は、吸込口２に設けられるダクト状のベルマウス１２、及び、該ベルマウス１２の内周側に設けられる軸流型又は斜流型のファン１３等を備えている。ケーシング１の上部を構成するベルマウスサポータ１ａには吸込口２となる略円形状の開口部が形成されており、当該開口部にベルマウス１２を挿入することにより、送風装置４はケーシング１に取り付けられる。このようにケーシング１に取り付けられた送風装置４の上流側には、ファンガード２ａ及び集塵フィルター７が設けられている。ファンガード２ａは、回転するファン１３に手を触れることができないようにする目的で設置されているものである。集塵フィルター７は、ケーシング１内へ粉塵が流入することを防止するために設けられているものである。集塵フィルター７は、着脱自在にケーシング１に設けられている。なお、送風装置４の詳細は後述する。
吹出口３は、ケーシング１の下部（より詳しくは、ケーシング１の前面部下側）に開口形成されている。この吹出口３には、気流の吹出し方向を制御する機構である風向制御ベーン９が設けられている。
【００１５】
ここで、一般的に、空気調和機の室内機は設置スペースに制約があるため、送風装置４を大きくできないことが多い。このため、本実施の形態１では、所望の風量を得るために、複数個（図１では３個）の送風装置４をケーシング１の長手方向に並設している。また、本実施の形態１では、隣接した送風装置４の間に、仕切り板２０が設けられている。これら仕切り板２０は、ケーシング１の上部内壁面と熱交換器５との間に形成される空間（ケーシング１内に形成される通風路６のうち、熱交換器よりも上流側となる箇所）を送風装置４毎に仕切るものである。このため、仕切り板２０は、熱交換器５に接する又は近接する側の端部が、熱交換器に沿った形状になっている。例えば、熱交換器５が、図中の左右方向から見て略∧型に配置されている場合、仕切り板２０の熱交換器５側も略∧型となっている。このように、熱交換器５と送風装置４の間の通風路を各送風装置４毎の通風路（本実施の形態では３つの通風路）に分割することにより、隣接したファン１３が発生する気流（旋回流）同士の干渉を防ぐことができる。このため、熱交換器５に供給する空気の量が熱交換器５の場所毎に不均一となることを防止できる。また、旋回流同士の干渉による流体のエネルギーのロスを抑制することができ、風速分布の改善と合わせて、室内機１００の圧力損失低減が可能となる。
【００１６】
上記のように構成された室内機１００では、送風装置４のファン１３を回転駆動させることにより、室内空気が集塵フィルター７を通過して、空気中の塵埃が除去され、ベルマウス１２によりケーシング１内の通風路に案内される。取り込まれた室内空気は熱交換器５において熱交換器５の内部を流動する冷媒と熱交換して、空調空気となり、風向制御ベーン９により所望の風向に制御され、吹出口３より空調対象域に供給される。
【００１７】
続いて、本実施の形態１に係る送風装置４の詳細について説明する。
【００１８】
図４は、本発明の実施の形態１に係る空気調和機の室内機における送風装置を示す分解斜視図である。また、図５はこの送風装置を示す底面図である。
送風装置４は、上述のように、ダクト状のベルマウス１２、及び、該ベルマウス１２の内周側に設けられる軸流型又は斜流型のファン１３を備えている。また、送風装置４は、ファン１３を回転駆動させるモーター８、モーター８を保持するモーター台１０、及び、モーター台１０とベルマウス１２とを連結するモーターステイ１１を備えている。
【００１９】
ファン１３は、円筒状のボス１４とボス１４の外周面に所定のピッチで取り付けられた複数の羽根１５を備えている。ベルマウス１２は、縦断面視略円弧状となる吸込側部分、縦断面視略直線状となる中間部分、及び、縦断面視略円弧状となる出口側部分で構成されている。つまり、ベルマウス１２は、該ベルマウス１２を流れる空気の流れ方向に沿って見た場合、吸込側部分が徐々に縮径し、出口部分が拡径した形状となっている。このベルマウス１２の出口側の通風路の中心には、ファン１３を回転駆動させるためのモーター８を保持するためのモーター台１０が配設されている。つまり、上述のファン１３は、このモーター台１０に保持されたモーター８の回転軸に取り付けられている。また、モーター台１０は、ベルマウス１２の例えば出口側の通風路の壁面とモーター台１０を連結するモーターステイ１１によって、ベルマウス１２の出口側の通風路の中心に固定されている。
【００２０】
モーターステイ１１は、複数の棒状部材によって構成されている。本実施の形態１では、平面視において所定の間隔を介して並設された複数の棒状部材１１ａ、及び、平面視において棒状部材１１ａと直交するように所定の間隔を介して並設された複数の棒状部材１１ｂによってモーターステイ１１を構成している。つまり、本実施の形態１に係るモーターステイ１１は、棒状部材１１ａ，１１ｂによって格子状に形成され、ベルマウス１２の通風路を複数の略矩形形状に分割している。また、本実施の形態１では、平面視において、ファン１３の各羽根１５の下流側端部（下側端部）がファン１３の回転角度にかかわらず棒状部材１１ａ，１１ｂのいずれかと交差するように、各棒状部材１１ａの間隔及び各棒状部材１１ｂの間隔を設定している。このようにモーターステイ１１を構成することにより、平面視で見た場合、ファン１３の回転時に（つまりファン１３の回転角度にかかわらず）、各羽根１５の下流側端部は、モーターステイ１１とある角度を持って常に交差していることになる。
【００２１】
ここで、送風装置が熱交換器の上流側の近傍に配置される空気調和機の室内機では、ファンの回転時、ファンの各羽根の下流側端部がモーターステイ上や熱交換器とファンとの最近接点を通過するタイミングにおいて、各羽根の後流とモーターステイ又は熱交換器とが干渉することにより、羽根に周期的な圧力変動が生じる。この圧力変動は離散周波数騒音の原因になる。
【００２２】
しかしながら、本実施の形態１では、上述のように、平面視で見た場合、ファン１３の回転時に、各羽根１５の下流側端部は、モーターステイ１１とある角度を持って常に交差している。このため、各羽根１５の後流とモーターステイ１１との干渉に起因する周期的な圧力変動が羽根１５に生じない（又は抑制できる）。また、羽根１５の後流は、ファン１３がどのような回転角度になっているときでも常にモーターステイ１１と干渉しているため、ファン１回転中における各羽根１５の後流の圧力分布がなまされる。このため、各羽根１５の後流と熱交換器５との干渉が緩和され、各羽根１５の後流とモーターステイ１１又は熱交換器５との干渉に起因して羽根１５に発生する周期的な圧力変動を緩和できる。したがって、耳障りな離散周波数騒音の発生を抑制することができ、室内機１００の静音性を向上させることができる。
【００２３】
本実施の形態１に係る空気調和機の室内機１００における騒音低減効果を試験によって確認したので、以下に説明する。
【００２４】
図６は、本発明の実施の形態１に係る空気調和機の室内機における騒音の周波数特性を説明するための説明図である。詳しくは、図６（ａ）は、従来の送風装置（特許文献２に記載の送風装置）を用いた室内機（従来の送風装置を室内機１００に搭載したもの）の騒音の周波数特性を示している。また、図６（ｂ）は、本実施の形態１に係る室内機１００の騒音の周波数特性を示している。
図６（ａ）に示されるように、従来の送風装置を用いた室内機の騒音は、ファンの後流とモーターステイ又は熱交換器とが干渉する周波数において、強いピークを持つ周波数特性となっている。これに対して、図６（ｂ）に示すように、本実施の形態１に係る送風装置４を備えた室内機１００の騒音の周波数特性は、ファン１３の後流とモーターステイ１１又は熱交換器５とが干渉する周波数において、強いピークが現れておらず、聴感的に不快な離散周波数騒音が発生していない。
【００２５】
また、格子状に形成される（略矩形状に開口した）モーターステイ１１の棒状部材間の間隔の影響を試験によって確認したので、以下に説明する。
【００２６】
図７は、本発明の実施の形態１に係る空気調和機の室内機１００における、モーターステイの棒状部材間の間隔と卓越音圧レベルとの関係を示す図である。なお、図７において、横軸は、モーター台１０の幅Ｈ（図５参照）とモーターステイ１１の棒状部材間の間隔ｈとの比であるステイ幅比（ｈ／Ｈ）である。また、縦軸は、従来の送風装置を用いた室内機の卓越音圧レベルを１として正規化した卓越音圧レベルである。
図７に示されるように、ステイ幅比を０．８以下とすることによって、卓越音圧レベルをおよそ半減させることができる。したがって、離散周波数騒音の低減効果を得るためには、ステイ幅比を０．８以下とすることが望ましい。
【００２７】
実施の形態２．
実施の形態１では、モーターステイ１１を棒状部材１１ａ，１１ｂによって略矩形状に開口した形状としたが、モーターステイ１１の形状は当該形状に限定されるものではない。モーターステイ１１は、平面視において各羽根１５の下流側端部がモーターステイ１１とある角度を持って常に交差している形状であればよく、例えばその開口形状が円状、楕円状、三角状となっていてもよい。また、流線形状の棒状部材でモーターステイ１１を形成してもよい。また例えば、以下のようにモーターステイ１１を形成してもよい。なお、本実施の形態２で特に記述しない構成については実施の形態１と同様とし、同一の機能や構成については同一の符号を用いて述べることとする。
【００２８】
図８は、本発明の実施の形態２に係る空気調和機の室内機における送風装置の一例を示す底面図である。また、図９は、本発明の実施の形態２に係る空気調和機の室内機における送風装置の別の一例を示す底面図である。
図８及び図９に示すように、本実施の形態２に係る送風装置４は、モーター台１０からベルマウス１２の内壁側へ放射状に延設された複数の棒状部材１１ｃ（図８は６本、図９は５本）と、隣接する棒状部材１１ｃを連結する複数の棒状部材１１ｄと、でモーターステイ１１を形成している。ここで、棒状部材１１ｃが本発明の第１の棒状部材に相当し、棒状部材１１ｄが本発明の第２の棒状部材に相当する。
【００２９】
なお、本実施の形態２では、同一の棒状部材１１ｃに連結する棒状部材１１ｄの位置が同一位置となっているため、複数の棒状部材１１ｄの配置形状が多角形状（図８は六角形、図９は５角形）となっている。また、本実施の形態２に係る送風装置４のモーターステイ１１は、棒状部材１１ｄの振動を抑制するため、つまり、当該振動に起因する騒音を抑制するため、棒状部材１１ｄとモーター台１０とを連結する棒状部材１１ｅも備えている。
【００３０】
一般に軸流型又は斜流型の送風装置においては、送風装置の上流又は下流に、集塵フィルターや熱交換器５のような風路構造物に起因する圧力損失が生じる場合、送風装置を通過する空気は、ファンの外周側を主に流動する。このため、送風装置の下流側であってファンの外周側となる位置に空気の流動を阻害する構造物が存在すると、ファンの外周側を流動する空気が当該構造物に衝突することにより気流が乱れ、電力効率の低下、騒音の増大を招く。
【００３１】
しかしながら、本実施の形態２においては、モーター台１０からベルマウス１２の内壁側へ放射状に延設された複数の棒状部材１１ｃでモーターステイ１１を構成しているので、棒状部材１１ｃとベルマウス１２の内壁との取付部の数を減少させることができる。
また、本実施の形態２においては、隣接する棒状部材１１ｃを連結する複数の棒状部材１１ｄを備えているので、各羽根１５の下流側端部は、平面視で見た場合、ファン１３の回転時（つまりファン１３の回転角度にかかわらず）、モーターステイ１１とある角度を持って常に交差している。このため、各羽根１５の後流とモーターステイ１１との干渉に起因して羽根１５に発生する周期的な圧力変動を緩和できる。
したがって、本実施の形態２のように室内機１００を構成することにより、離散周波数騒音の発生を抑制できる効果が得られると共に、室内機１００の電力効率が改善するという効果も得られる。
【００３２】
また、本実施の形態２においては、複数の棒状部材１１ｄの配置形状が多角形状となっているので、平面視において羽根１５の下流側端部とモーターステイ１１とが交差する位置が、ファン１３の回転時に一定の位置にならない。このため、ファン１回転中における各羽根１５の後流の圧力分布がよりなまされる。つまり、各羽根１５の後流と熱交換器５との干渉がより緩和され、各羽根１５の後流とモーターステイ１１又は熱交換器５との干渉に起因して羽根１５に発生する周期的な圧力変動をより緩和できる。したがって、耳障りな離散周波数騒音の発生をより抑制することができ、室内機１００の静音性をより向上させることができる。
【００３３】
実施の形態３．
実施の形態１及び実施の形態２では、モーターステイ１１を構成する棒状部材とベルマウス１２の内壁との取付部の形状について特に言及しなかった（換言すると、実施の形態１及び実施の形態２で示した効果は、モーターステイ１１を構成する棒状部材とベルマウス１２の内壁との取付部の形状にかかわらず得られるものである）。例えば、実施の形態１及び実施の形態２で示した送風装置４において、当該取付部を以下のような形状にすることにより、以下のような効果を得ることができる。なお、本実施の形態３で特に記述しない構成については実施の形態１又は実施の形態２と同様とし、同一の機能や構成については同一の符号を用いて述べることとする。
【００３４】
送風装置の下流側に熱交換器が配置される場合、一般に、送風装置の吹出口の通風路面積（つまり、ベルマウス１２の出口側の通風路面積）は、熱交換器の上流側の通風路面積よりも小さくなる。このため、送風装置の下流側において、空気流は送風装置の外周側に向かって流動することになる。したがって、送風装置の下流側に熱交換器が配置される空気調和機の室内機に、ベルマウスの内部にモーターステイの取付部が形成されている送風装置（例えば、特許文献２）を用いると、ベルマウスの出口側端部（下流側端部）がファンの下流側端部よりも下流側となるため、ファンを通過した流れは半径方向に広がらずに流れる。このため、熱交換器を通過する空気流に風速分布が生じやすくなる。
【００３５】
また、上述のように、一般に軸流型又は斜流型の送風装置においては、送風装置の上流又は下流に、集塵フィルターや熱交換器５のような風路構造物に起因する圧力損失が生じる場合、送風装置を通過する空気は、ファンの外周側を主に流動する。このため、流速の速いベルマウス内部に空気の流動を阻害する構造物が存在すると、ファンの外周側を流動する空気が取付部に衝突することにより気流が乱れ、ファンの翼面に圧力変動が生じ、耳障りな離散周波数騒音が発生しやすくなる。
【００３６】
そこで、本実施の形態３では、モーターステイ１１を構成する棒状部材とベルマウス１２の内壁との取付部を以下のような形状にしている。
【００３７】
図４は、本発明の実施の形態３に係る空気調和機の室内機における送風装置を示す分解斜視図である。
図４に示すように、送風装置４のベルマウス１２は、その出口側端部に、ファン１３の回転軸方向に沿って下方に突設された複数の取付部１６を備えている。これら取付部１６は、上流側となる根元側が長辺となり、下流側となる先端側が短辺となる略台形形状に形成されている。そして、モーターステイ１１を構成する棒状部材は、これら取付部１６の例えば下流側端部に連結されている。このように送風装置４を構成することにより、ベルマウス１２の出口側端部をファン１３の下流側端部よりも上流側に配置することが可能となる。
【００３８】
上記のように構成された室内機１００では、ファン１３の回転時に、空気流はベルマウス１２の外周側を主に通過する。ベルマウス１２を通過した空気流は、送風装置４の外側に向けてベルマウス１２の出口から流出する。取付部１６はベルマウス１２の出口側端部から下方に突出しているため、送風装置４の外側に向けてベルマウス１２の出口から流出する空気流は、各取付部１６の間から送風装置４を流出する。このため、空気の流れが阻害されることを少なくすることができ、熱交換器５を通過する空気流に風速分布を改善することができる。
【００３９】
また、取付部１６は略台形形状に形成されているため、羽根１５の圧力面と対向する側の取付部１６の側面端部１７は、羽根１５の取付角度に対して大きな角度差をもつことになる。これにより、羽根１５が取付部１６が配設されている箇所を通過する際に、羽根１５の後流は徐々に取付部１６と干渉する。したがって、羽根１５の後流と取付部１６の干渉に起因する翼面の圧力変動が緩和され、耳障りな離散周波数騒音の発生をより抑制することができ、室内機１００の静音性を向上させることができる。
ここで、側面端部１７が本発明の第１の側面端部に相当する。
【００４０】
本実施の形態３に係る空気調和機の室内機１００における騒音低減効果を試験によって確認したので、以下に説明する。
【００４１】
図１０は、本発明の実施の形態３に係る空気調和機の室内機における騒音の周波数特性を説明するための説明図である。詳しくは、図１０（ａ）は、従来の送風装置（特許文献２に記載の送風装置）を用いた室内機（従来の送風装置を室内機１００に搭載したもの）の騒音の周波数特性を示している。また、図１０（ｂ）は、本実施の形態３に係る室内機１００の騒音の周波数特性を示している。
図１０（ａ）に示されるように、従来の送風装置を用いた室内機の騒音は、ファンの後流と取付部とが干渉する周波数において、強いピークを持つ周波数特性となっている。これに対して、図１０（ｂ）に示すように、本実施の形態３に係る送風装置４を備えた室内機１００の騒音の周波数特性は、ファン１３の後流と取付部１６とが干渉する周波数において、ピークが減少しており、聴感的に不快な離散周波数騒音が低減している。
【００４２】
実施の形態４．
実施の形態３では、取付部１６を略台形形状に形成することにより、側面端部１７が略直線状に形成されていた。しかしながら、側面端部１７の形状は、略直線状に限定されるものではなく、羽根１５の取付角に対して角度を持っていればよい。このため、取付部１６の側面端部１７を例えば次のような形状に形成してもよい。なお、本実施の形態４で特に記述しない構成については実施の形態３と同様とし、同一の機能や構成については同一の符号を用いて述べることとする。
【００４３】
図１１は、本発明の実施の形態４に係る空気調和機の室内機における送風装置の取付部近傍を示す要部拡大図である。この図１１は、取付部１６の形状の一例を例示するものである。
【００４４】
例えば、図１１（ａ）に示す取付部１６の側面端部１７は、実施の形態３で示した取付部１６と同様に、上流側端部から下流側端部にかけて、ファン１３の回転方向（図１１（ａ）に示す矢印Ａ）に傾斜する略直線状に形成されている。また、側面端部１７と反対側の側面端部は、ファン１３の回転軸と略平行な略直線状に形成されている。
また例えば、図１１（ｂ）に示す取付部１６の側面端部１７は、上流側端部から下流側端部にかけて、ファン１３の回転方向（図１１（ｂ）に示す矢印Ａ）に傾斜する略円弧状に形成されている。また、側面端部１７と反対側の側面端部は、図１１（ａ）に示す取付部１６と同様に、ファン１３の回転軸と略平行な略直線状に形成されている。
また例えば、図１１（ｃ）に示す取付部１６の側面端部１７は、上流側端部から下流側端部にかけて、ファン１３の回転方向（図１１（ｃ）に示す矢印Ａ）に傾斜する略波形状に形成されている。また、側面端部１７と反対側の側面端部は、図１１（ａ），（ｂ）に示す取付部１６と同様に、ファン１３の回転軸と略平行な略直線状に形成されている。
【００４５】
このように取付部１６を形成しても、羽根１５の後流と最も強く干渉する側面端部１７は羽根１５に対して角度をもって形成されているため、離散周波数騒音の低減効果は実施の形態１と同様に得られる。また、本実施の形態４に係る取付部１６は、側面端部１７と反対側の側面端部がファン１３の回転軸と略平行な略直線状に形成されているため、取付部１６が羽根１５の後流と干渉する面積が減少し、電力効率も向上する。
【符号の説明】
【００４６】
１  ケーシング、１ａ  ベルマウスサポータ、２  吸込口、２ａ  ファンガード、３  吹出口、４  送風装置、５  熱交換器、６  通風路、７  集塵フィルター、８  モーター、９  風向制御ベーン、１０  モーター台、１１ モーターステイ、１１ａ〜１１ｅ  棒状部材、１２  ベルマウス、１３  ファン、１４  ボス、１５  羽根、１６ 取付部、１７ 側面端部、２０ 仕切り板、１００ 室内機。
【図１】
2014006649.tif 000003
【図２】
2014006649.tif 000004
【図３】
2014006649.tif 000005
【図４】
2014006649.tif 000006
【図５】
2014006649.tif 000007
【図６】
2014006649.tif 000008
【図７】
2014006649.tif 000009
【図８】
2014006649.tif 000010
【図９】
2014006649.tif 000011
【図１０】
2014006649.tif 000012
【図１１】
2014006649.tif 000013
【手続補正書】
【提出日】平成26年11月17日(2014.11.17)
【手続補正１】
【補正対象書類名】明細書
【補正対象項目名】０００７
【補正方法】変更
【補正の内容】
【０００７】
本発明に係る空気調和機の室内機は、上部に吸込口が形成され、前面部下側に吹出口が形成されたケーシングと、前記吸込口に設けられたベルマウス、該ベルマウスの内周側に設けられた軸流型又は斜流型のファン、該ファンを回転駆動させるモーター、該モーターを保持するモーター台、及び、該モーター台と前記ベルマウスとを連結するモーターステイを有する送風装置と、前記ケーシング内における前記送風装置の下流側であって前記吹出口の上流側となる位置に設けられ、前記送風装置から吹き出された空気と冷媒とが熱交換する熱交換器と、を備え、前記送風装置のモーターステイは、平面視において、前記ファンの各羽根の下流側端部が、前記ファンの回転角度にかかわらず、前記モーターステイを構成する部材のいずれかと交差するように形成され、前記ベルマウスは、空気の流れ方向の下流側となる出口側端部から下方に突設された複数の取付部を備え、前記モーターステイは、これら前記取付部において前記ベルマウスと連結しており、これら前記取付部のそれぞれは、側面端部の内の少なくとも前記ファンの前記羽根の圧力面と対向する側となる第１の側面端部が、前記ファンの回転軸に対して傾斜して形成されているものである。
【手続補正２】
【補正対象書類名】明細書
【補正対象項目名】０００９
【補正方法】変更
【補正の内容】
【０００９】
本発明によれば、モーター台とベルマウスを連結するモーターステイ（特許文献２のラチスバー及び特許文献３のステイに相当する部材）を、平面視において、ファンの各羽根の下流側端部がファンの回転角度にかかわらずモーターステイを構成する部材のいずれかと交差するように形成している。このため、本発明は、各ファンの後流が常にモーターステイと干渉しているので、ファン１回転中における各羽根の後流の圧力分布がモーターステイによりなまされるため、ファンの各羽根の後流と熱交換器との干渉によって各羽根に生じる急激な圧力変動が緩和され、耳障りな離散周波数騒音の発生を抑制できる。
【手続補正３】
【補正対象書類名】特許請求の範囲
【補正対象項目名】全文
【補正方法】変更
【補正の内容】
【特許請求の範囲】
【請求項１】
上部に吸込口が形成され、前面部下側に吹出口が形成されたケーシングと、
前記吸込口に設けられたベルマウス、該ベルマウスの内周側に設けられた軸流型又は斜流型のファン、該ファンを回転駆動させるモーター、該モーターを保持するモーター台、及び、該モーター台と前記ベルマウスとを連結するモーターステイを有する送風装置と、
前記ケーシング内における前記送風装置の下流側であって前記吹出口の上流側となる位置に設けられ、前記送風装置から吹き出された空気と冷媒とが熱交換する熱交換器と、
を備え、
前記送風装置のモーターステイは、
平面視において、前記ファンの各羽根の下流側端部が、前記ファンの回転角度にかかわらず、前記モーターステイを構成する部材のいずれかと交差するように形成され、
前記ベルマウスは、空気の流れ方向の下流側となる出口側端部から下方に突設された複数の取付部を備え、
前記モーターステイは、これら前記取付部において前記ベルマウスと連結しており、
これら前記取付部のそれぞれは、
側面端部の内の少なくとも前記ファンの前記羽根の圧力面と対向する側となる第１の側面端部が、前記ファンの回転軸に対して傾斜して形成されていることを特徴とする空気調和機の室内機。
【請求項２】
前記モーターステイは、
平面視において前記モーター台から放射状に延設された部材を備えていることを特徴とする請求項１に記載の空気調和機の室内機。
【請求項３】
前記モーターステイは、
平面視において前記モーター台から放射状に延設され、前記モーター台と前記ベルマウスとを連結する複数の第１の部材と、
隣接する第１の部材を連結する第２の部材と、
を備えたことを特徴とする請求項１に記載の空気調和機の室内機。
【請求項４】
同一の前記第１の部材に連結する前記第２の部材は、同一位置に連結されており、
複数の前記第２の部材が多角形状に配置されていることを特徴とする請求項３に記載の空気調和機の室内機。
【請求項５】
前記モーターステイは、格子状に配置された複数の部材を備えていることを特徴とする請求項１に記載の空気調和機の室内機。
【請求項６】
前記第１の側面端部は、直線状、円弧状又は波形状に形成されていることを特徴とする請求項１〜請求項５のいずれか一項に記載の空気調和機の室内機。
【請求項７】
前記取付部のうちの少なくとも１つは、
前記第１の側面端部と反対側の側面端部である第２の側面端部が、前記ファンの回転軸と平行に形成されていることを特徴とする請求項１〜請求項６のいずれか一項に記載の空気調和機の室内機。
【請求項８】
請求項１〜請求項７のいずれか一項に記載の空気調和機の室内機を備えたことを特徴とする空気調和機。
【国際調査報告】
2014006649.tif 000014
2014006649.tif 000015
2014006649.tif 000016
2014006649.tif 000017